(57)【要約】      （修正有） 【課題】日の出入りの名所で水平線上の太陽を期待していても、傾斜して沈むほか、季節により時刻や位置（方位）が変わり、間に合わなかったり、島々や陸地や港施設などにかかることもあり、その現地での時刻と方位を予測する装置を提供する。   【解決手段】日の出、または日の入り時刻と方位を極座標系のグラフで表示し、これに展望地点の風景画を組合わせた扇形テーブルの日の出入り時刻方位の表示装置を、真東または真西に向けて水平に設置し、グラフ上で予測当日の月日ポイントから簡単に時刻と位置が予測できる。【選択図】図１
0003147389.tif 000002
【実用新案登録請求の範囲】
【請求項１】
特定地点の日の出入り時刻と方位を、現地で太陽の方位に一致させて表示するため、展望者の位置を極（０点）とする極座標系の動径と偏角を用い、極座標系グラフに表すことを特徴とする日の出入り時刻方位の表示装置。
【請求項２】
請求項１の表示のために、国立天文台から提供されている特定地点の日の出入りの時刻と方位の数値を用い、この場合方位が真北を始線とし時計回りで表されているため、日の出の場合は真東を０度にして南側をプラスに北側はマイナスに、日の入りの場合は真西を０度にして北側をプラスに南側はマイナスに方位数値を置換えて、その時刻と置換えた方位の数値を極座標系にプロットするとともにその月日のみをデータラベルで示し、月日が連続したプロットを結んだグラフで日々の時刻と方位を連続的に表示するものとし、データラベルとグラフが輻輳し区別しがたい場合は、一定隔日にデータラベルを付け、展望者が予測日の月日をグラフ上のデータラベル間で割り出し、その点（月日）が示す時刻と方位から日の出入り時刻と方位を予測することを特徴とする日の出入り時刻方位の表示装置。
【請求項３】
日の出入り展望箇所は通常別々の場所となるため、請求項２は日の出用と日の入り用として表示した別個の固定した扇形テーブルを設置し、請求項２のグラフの動径の最外線に沿って外側に、島々や陸地や港施設などの日の入りにかかる対象物の左右両端の方位に合わせ、その相似形を表示することにより、日の出入りが水平線上か、または対象物にかかるかを正確に予測することができることを特徴とする日の出入り時刻方位の表示装置。
【考案の詳細な説明】
【技術分野】
【０００１】
１．日の出入り時刻と方位を、現地で極座標系を用いた日の出入り時刻方位の表示装置で、当日の月日ポイントを見出して簡単に予測することができる。
２．展望風景も組み入れた日の出入り時刻方位の表示装置により、水平線上か島々にかかるかが予め分かる。
３．カメラ撮影にとって、事前に日の出入り時刻方位の表示装置で確認することで、日の出入り構図に適した時刻と展望位置を予め選択可能となる。
【背景技術】
【０００２】
１．国立天文台情報センター計算室の各地のこよみは、専門家で無ければ現地で正確に適用することが難しい。
【考案の開示】
【考案が解決しようとする課題】
【０００３】
日の出や、日の入りが水平線上に展望できる海岸でも、例え晴天で空気が澄んでいても、または太陽が海面上に輝いていても、太陽は傾斜して動くため島陰に沈むことがあり、季節により時刻が変化し位置も移動するため、水平線上でなく島々や防波堤や陸地に隠れたりしてしまい、夕陽が素早く沈む間では展望位置の移動ができず、シャッターチャンスを逃すなど期待通りにならないことから、その箇所での日の出入りの時刻や方位（位置）を具体的に予測する必要があった。
【課題を解決するための手段】
【０００４】
特定地点の日の出入り時刻と方位を、現地で太陽の方位に一致させて表示するため、展望者の位置を極（０点）とする極座標系の動径と偏角を用い、極座標系グラフで表示する。
【０００５】
そのため、国立天文台から提供されている特定地点の日の出入りの時刻と方位の数値を用い、この場合方位が真北を始線とし時計回りで表されているため、日の出の場合は真東を０度にして南側をプラスに北側はマイナスに、日の入りの場合は真西を０度にして北側をプラスに南側はマイナスに方位数値を置換えて、その時刻と置換えた方位の数値を極座標系にプロットするとともにその月日のみをデータラベルで示し、月日が連続したプロットを結んだグラフで日々の時刻と方位を連続的に表示する。
【０００６】
データラベルとグラフが輻輳し区別しがたい場合は、一定隔日にデータラベルを付け、展望者が予測日の月日をグラフ上のデータラベル間で割り出し、その点（月日）が示す時刻と方位から日の出入り時刻と方位（位置）を予測する。
【０００７】
日の出入り展望箇所は通常別々の場所となるため、日の出入り時刻方位の表示装置は日の出用と日の入り用として表示した別個の固定した扇形テーブルを設置し、請求項２のグラフの動径の最外線に沿って外側に、島々や陸地や港施設などの日の入りにかかる対象物の左右両端の方位に合わせ、その相似形を表示することにより、日の出入りが水平線上か、または対象物にかかるかを正確に容易に予測され、問題が解決されると考える。
【０００８】
日の出入り時刻方位の表示装置で、動径の時刻表示は、太陽の移動に合わせ、日の出は昇るように下側から上側に、日の入りは沈むように上側から下側に振るものとし、表示は金属板など加工しやすい板に行い、扇形テーブルに組み込むものとする。
【０００９】
区別し易いように、冬至から夏至にいたる春分前後のグラフを春分線として太線、夏至から冬至にいたる秋分前後のグラフを秋分線として細線で表示すると、両グラフは秋春分線付近で交わり、反転する。
【００１０】
簡便な方法として、日の出時刻方位のグラフ、または日の入り時刻方位のグラフを厚紙等に貼り付けるか厚紙に印刷し、その予測したい箇所に携行して、水平の状態で（鉄金属等で磁気の影響を受けないところを選び）コンパスにて東西を正確に合わせて保ち、グラフで当日の予測点を割り出して日の入り時刻を、この厚紙上の予測点の方位を延長して見通すことで日の出入り位置を概略予測する。
【考案の効果】
【００１１】
１．日の出入り時刻方位の表示装置を見やすい高さの扇形テーブルで、簡単にその日のその地点の日の出入り時刻と方位をテーブル上で予測することができる。
２．風景も組み入れた日の出入り時刻方位の表示装置により、水平線上か島影などにかかるかが予め予測できる。
３.カメラ撮影者や夕陽ファンにとって、日の出入りが水平線上か、または島や陸地や港施設とのかかわりを把握したうえで時間に余裕をもって予め展望箇所を選ぶことができ、ほぼ完璧に展望や観賞ができる。
４.この表示装置は地球上何処でも応用できるものであり、特にハワイなどサンセットの名所では効果が大きい。
５.山の高さを加味してグラフを修正すれば、山の日の出入り予測に応用できる。
【考案を実施するための最良の形態】
【００１２】
１．水平線に見える島々、陸地、港施設、防波堤の左右両端の方位に合わせて、その形状を、日の出入り時刻方位の表示装置上に方位を合わせて表示することにより、水平線上や島々などにかかる日の入り時刻方位が予測できる。
２．春分線、秋分線の表示を太線や細線で見やすく区分し、表示装置の規模によっては、データベースをこまめに表示すればさらに便利である。
３．日の出入りが見られる海岸のオーシャンビューホテルなどで、日の出入りが見られる各窓辺や展望浴場には、ほぼ同一表示装置の簡易板を置くことが可能であり、付加価値が上がると考える。
【実施例１】
【００１３】
夕陽が玄界灘の水平線に沈む光景が見られる福津市（福間浜等）は、福岡市から約１３ｋｍ離れているが、日の出入りの時差はほとんど無く（稀に１分）、国立天文台情報センター暦計算室提供の福岡市の資料から、毎月１、１１、２１日を抽出した年月日の日の出日の入時刻方位表（表１）をつくり、これから東西別の日の出入り時刻方位表（表２）に整理し、さらに方位別月日の日の出時刻表（表３）を整理して極座標系にプロットしたのが日の入り時刻方位の表示装置（図３）である。これを利用して、福間浜で日の入りの時刻方位を確認したところ、ほぼ正確であった。（展望（観測）日  Ｈ２０．１０．２.１８：００）
【表１】
0003147389.tif 000003
【表２】
0003147389.tif 000004
【表３】
0003147389.tif 000005
【産業上の利用可能性】
【００１４】
１．観光産業に生かせる
２. 公共サービスに生かせる。
３．教材に生かせる
【図面の簡単な説明】
【００１５】
【図１】日の入り時刻方位の表示装置の設置図
【図２】日の出時刻方位の表示装置のグラフ
【図３】日の入り時刻方位の表示装置のグラフ
【符号の説明】
【００１６】
１．日の入り予測点（時刻方位を知りたい月日）
２．予測時刻
３．予測方位
４．島影
【図１】
0003147389.tif 000006
【図２】
0003147389.tif 000007
【図３】
0003147389.tif 000008
【手続補正書】
【提出日】平成20年10月15日(2008.10.15)
【手続補正１】
【補正対象書類名】明細書
【補正対象項目名】００１３
【補正方法】変更
【補正の内容】
【００１３】
夕陽が玄界灘の水平線に沈む光景が見られる福津市（福間浜等）は、福岡市から約１３ｋｍ離れているが、日の出入りの時差はほとんど無く（稀に１分）、国立天文台情報センター暦計算室提供の福岡市の資料から、毎月１、１１、２１日を抽出した年月日の日の出日の入時刻方位表（表１）をつくり、これから東西別の日の出入り時刻方位表（表２）に整理し、さらに方位別月日の日の出時刻表（表３）を整理して極座標系にプロットしたのが日の入り時刻方位の表示装置（図３）である。これを利用して、福間浜で日の入りの時刻方位を確認したところ、ほぼ正確であった。（展望（観測）日  Ｈ２０．１０．２.１８：００）
【表１】
0003147389.tif 000009
【表２】
0003147389.tif 000010
【表３】
0003147389.tif 000011